(57)【特許請求の範囲】
【請求項１】
取付枠１に所定間隔を置いて、両端に略直角折曲部５ａ，５ａとその先端部に外方折曲部５ｂ，５ｂを形成した棒溝部材５を固定し、前記外方折曲部５ｂ，５ｂに長尺の防水シート９の両縁部に設けた剛体部材９ａ，９ａを接合して長尺の防水シート９を設け、前記棒溝部材５の略直角折曲部５ａ，５ａの先端部の外方折曲部５ｂ，５ｂに、外壁材４，４の端に形成した略直角折曲部４ａ，４ａの先端部の凹折曲部４ｂ，４ｂを嵌合し、この凹折曲部４ｂ，４ｂの反対面に形成した凸折曲部４ｂ′，４ｂ′に、棒蓋部材８の両端な略直角折曲部８ａ，８ａに形成した凹折曲部８ｂ，８ｂを嵌合するように構成したことを特徴とする外壁構造。
【請求項２】
取付枠１に固定する外壁材４の一部分に、所定間隔を置いた略直角折曲部４ｃ，４ｃで凹溝を形成し、この略直角折曲部４ｃ，４ｃの先端部に互いに対向するよう凹折曲部４ｄ，４ｄを形成し、この凹折曲部４ｄ，４ｄに長尺の防水シート９の両縁部に設けた剛体部材９ａ，９ａを接合して長尺の防水シート９を設け、前記凹状折曲部４ｄ，４ｄの反対面に形成した凸折曲部４ｄ′，４ｄ′に、棒蓋部材８の両端の略直角折曲部８ａ，８ａに形成した凹折曲部８ｂ，８ｂを嵌合するように構成したことを特徴とする外壁構造。
【発明の詳細な説明】
【０００１】
【発明の属する技術分野】
この発明は、外壁材間の連結部や外壁材の取付枠等への雨水の浸水を防止するよにした外壁構造に関するものである。
【０００２】
【従来の技術】
図３は従来の鋼板製等の外壁材間の連結および取付枠等への取付部を示す図で、（ａ）図は外壁材の連結部に棒蓋部材を取り付ける前の平面図、（ｂ）図は外壁材の連結部に棒蓋部材を取り付けた平面図、図４は鋼仮等の外壁材で被われた外壁の一部を示す図であり、１は取付枠、２はこの取付枠１の上に配設した断熱材、３はこの断熱材２の上に配設した下地板である。
４，４はこの下地板３の上を被った鋼板製等の外壁材で、この外壁材４，４の端に、略直角折曲部４ａ、４ａを形成するとともに、この略直角折曲部４ａ，４ａの先端部に凹折曲部４ｂ，４ｂが互いに対向するように形成されている。
【０００３】
５は両端に略直角折曲部５ａ，５ａとその先端部に外方折曲部５ｂ，５ｂを形成した棒溝部材で、この棒溝部材５を下地板３の上に、外壁材４を連結して固定する位置に対応して所定間隔を置いて固定する。その固定手段は前記取付枠１と断熱材２と下地板３を貫通させて突出させたボルト６に棒溝部材５の底面を貫通し、ボルト６の先端部にナット７を締め付けて行う。
【０００４】
そして、外壁材４，４を下地板３の上に被うには、下地板３の上に前記のように固定した棒溝部材５の略直角折曲部５ａ，５ａの先端部の外方折曲部５ｂ，５ｂに、外壁材４，４の端に形成した略直角折曲部４ａ，４ａの先端部の凹折曲部４ｂ，４ｂを嵌合し、さらに、外壁材４，４の略直角折曲部４ａ，４ａの先端部の凹折曲部４ｂ，４ｂの反対面に形成した凸折曲部４ｂ′，４ｂ′に、棒蓋部材８の両端の略直角折曲部８ａ，８ａに形成した凹折曲部８ｂ，８ｂを嵌合して棒蓋部材８を取り付ける。
【０００５】
【発明が解決しようとする課題】
前記のような従来の外壁構造においては、前記外壁材４，４の端の略直角折曲部４ａ，４ａの先端部の凸折曲部４ｂ′，４ｂ′と、棒蓋部材８の両端の略直角折曲部８ａ，８ａに形成した凹折曲部８ｂ，８ｂとの嵌合部に、毛細管現象によって雨水が浸入し、さらに、前記棒溝部材５を下地板３上に固定したボルト６部に雨水が浸入して、このボルト６を腐食させ、さらに、ボルト６が貫通した孔から下地板３に雨水が浸入する等の恐れがあった。
この発明は、鋼板製、アルミ板製、プラスチック板製、セラミック板製等の外壁材間を連結した連結部や外壁材を下地板に固定したボルト、あるいは外壁材の端部間を固定するため取付枠に棒溝部材を固定したボルト部に、雨水が絶対に浸入しないような外壁構造を提供することを目的としたものである。
【０００６】
【課題を解決するための手段】
この発明は、前記目的を達成するため、取付枠１に所定間隔を置いて、両端に略直角折曲部５ａ，５ａとその先端部に外方折曲部５ｂ，５ｂを形成した棒溝部材５を固定し、前記外方折曲部５ｂ，５ｂに長尺の防水シート９の両縁部に設けた剛体部材９ａ，９ａを接合して長尺の防水シート９を設け、前記棒溝部材５の略直角折曲部５ａ，５ａの先端部の外方折曲部５ｂ，５ｂに、外壁材４，４の端に形成した略直角折曲部４ａ，４ａの先端部の凹折曲部４ｂ，４ｂを嵌合し、この凹折曲部４ｂ，４ｂの反対面に形成した凸折曲部４ｂ′，４ｂ′に、棒蓋部材８の両端の略直角折曲部８ａ，８ａに形成した凹折曲部８ｂ，８ｂを嵌合するように構成したことを特徴とする外壁構造としたものである。
【０００７】
また、取付枠１に固定する外壁材４の一部分に、所定間隔を置いた略直角折曲部４ｃ，４ｃで凹溝を形成し、この略直角折曲部４ｃ，４ｃの先端部に互いに対向するよう凹折曲部４ｄ，４ｄを形成し、この凹折曲部４ｄ，４ｄに長尺の防水シート９の両縁部に設けた剛体部材９ａ，９ａを接合して長尺の防水シート９を設け、前記凹状折曲部４ｄ，４ｄの反対面に形成した凸折曲部４ｄ′，４ｄ′に、棒蓋部材８の両端の略直角折曲部８ａ，８ａに形成した凹折曲部８ｂ，８ｂを嵌合するように構成したことを特徴とする外壁構造としたものである。
【０００８】
【発明の実施の形態】
以下、この発明の外壁構造の実施の形態について詳細に説明するが、この発明はこの実施の形態に限定されるものではなく、その実施の形態を多少変えるように設計変更することは可能である。
【０００９】
図１はこの発明の外壁構造の第１の実施の形態を示す図で、（ａ）図は外壁材の連結部を棒蓋部材で覆う前の平面図、（ｂ）図は外壁材の連結部を棒蓋部材で覆った平面図、（ｃ）図は長尺の防水シートの一部を示す斜視図であり、従来例と同様に、１は取付枠、２はこの取付枠１の上に配設した断熱材、３はこの断熱材２の上に配設した下地板、４，４はこの下地板３の上を被った外壁材で、この外壁材４，４の端には、略直角折曲部４ａ，４ａと、この略直角折曲部４ａ，４ａの両先端部に互いに対向する凹折曲部４ｂ，４ｂが形成されている。
なお、前記外壁材４は、鋼板製、アルミ板製、プラスチック板製、セラミック板製等の種々のものであってもよい。
【００１０】
５は両端に略直角折曲５ａ，５ａとその先端部に外方折曲部５ｂ，５ｂを形成した棒溝部材で、この棒溝部材５を取付枠１に断熱材２および下地板３を介して固定するには、前記取付枠１と断熱材２と下地板３を貫通させて突出させたボルト６に棒溝部材５の底面を貫通し、このボルト６の先端部にナット７を締め付けて行う。
【００１１】
そして、外壁材４，４を下地板３の上に被うには、下地板３の上に前記のように固定した棒溝部材５の略直角折曲部５ａ，５ａの先端部の外方折曲部５ｂ，５ｂに、外壁材４，４の端に形成した略直角折曲部４ａ，４ａの先端部に互いに対向して形成された凹折曲部４ｂ，４ｂを嵌合し、前記棒溝部材５の略直角折曲部５ａ，５ａの先端部の外方折曲部５ｂ，５ｂと、外壁材４，４の端に形成した略直角折曲部４ａ，４ａの先端部の凹折曲部４ｂ，４ｂとに挟んで長尺の防水シート９の両縁部に設けた剛体部材９ａ，９ａを挟持接合して長尺の防水シート９を設け、さらに、外壁材４，４の略直角折曲部４ａ，４ａの先端部に互いに対向して形成された凹折曲部４ｂ，４ｂの反対面に形成した凸折曲部４ｂ′，４ｂ′に、棒蓋部材８の略直角折曲部８ａ，８ａに形成した凹折曲部８ｂ，８ｂを嵌合して棒蓋部材８を取り付けるように構成したものである。
【００１２】
図２はこの発明の外壁構造の第２の実施の形態を示す図で、この第２の実施の形態は、外壁材間の連結および下地板への固定は、前記第１の実施の形態と同様に行うが、幅広の外壁材の中程を取付枠に断熱材および下地板を介して固定する場合の実施の形態であり、取付枠１に断熱材２および下地板３を介してボルト６・ナット７で固定する外壁材４の一部分に、所定間隔を置いた略直角折曲部４ｃ，４ｃで凹溝を形成し、その略直角折曲部４ｃ，４ｃの先端部に互いに対向するように凹折曲部４ｄ，４ｄを形成し、この凹折曲部４ｄ，４ｄに長尺の防水シート９の両縁部に設けた剛体部材９ａ，９ａを挟持接合して長尺の防水シート９を設け、前記凹状折曲部４ｄ，４ｄの反対面に形成した凸折曲部４ｄ′，４ｄ′に、棒蓋部材８の両端の略直角折曲部８ａ，８ａに形成した凹折曲部８ｂ，８ｂを嵌合するように構成したものである。
【００１３】
【発明の効果】
請求項１に記載した発明は、以上説明したように、すなわち、取付枠に、両端に略直角折曲部とその先端部に外方折曲部を形成した棒溝部材を固定し、前記棒溝部材の略直角折曲部の先端部の外方折曲部に、長尺の防水シートの両縁部に設けた剛体部材を接合して、長尺の防水シートを設けたので、取付枠に固定した棒溝部材に接合した外壁材の端部と、この外壁材の端部に接合した棒蓋部材との接合部から、毛細管現象によって外壁材間の連結部および下地板への固定部に、雨水が絶対に浸入しないようにすることができる。
【００１４】
また、請求項２に記載した発明は、以上説明したように、取付枠に固定する外壁材の一部分に、所定間隔を置いた略直角折曲部で凹溝を形成し、この略直角折曲部の先端部に互いに対向するように凹折曲部を形成し、この凹折曲部に長尺の防水シートの両縁部に設けた剛体部材を接合して長尺の防水シートを設け、前記凹状折曲部の反対面に形成した凸折曲部に、棒蓋部材の両端の略直角折曲部に形成した凹折曲部を嵌合するように構成したので、外壁材の一部分に形成した略直角折曲部と棒蓋部材との嵌合部から、毛細管現象によって雨水が絶対に浸入しないようにすることができる。
【図面の簡単な説明】
【図１】この発明の外壁構造の第１の実施の形態を示す図である。
【図２】この発明の外壁構造の第２の実施の形態を示す図である。
【図３】従来の外壁構造を示す図である。
【図４】従来の外壁材で被われた外壁の一部を示す図である。
【符号の説明】
１    取付枠
２    断熱材
３    下地板
４    外壁材
４ａ    略直角折曲部
４ｂ    凹折曲部
４ｂ′  凸折曲部
４ｃ    略直角折曲部
４ｄ    凹折曲部
４ｄ′  凸折曲部
５    棒溝部材
５ａ    略直角折曲部
５ｂ    外方折曲部
６    ボルト
７    ナット
８    棒蓋部材
８ａ    略直角折曲部
８ｂ    凹折曲部
９    長尺の防水シート
９ａ    剛体部材
【図１】
0003687054.tif 000002
【図２】
0003687054.tif 000003
【図３】
0003687054.tif 000004
【図４】
0003687054.tif 000005